(57)【要約】【課題】モミ袋の交換作業中にコンバインが未刈地側または既刈地側に外れそうになった場合にも、オペレータはモミ受部にいながら旋回操作できることにより進行方向を変えることができるコンバインを提供する。【解決手段】機体の左右一側に脱穀部（２）、他側にモミ受部（６）を備え、該モミ受部（６）の前方に運転部（３）を備えたコンバインにおいて、前記運転部（３）に備えた旋回操作具（１１）とは別に前記モミ受部（６）の周辺に方向修正操作具（７，８）を設けたので、オペレータはモミ受部（６）周辺に設置した方向修正操作具（７，８）を操作することで、コンバインは進行方向を変えることができ、オペレータはモミ受部（６）と運転部（３）との間を行き来する手間も省ける。【選択図】　　　　図１
2004097095.tif 000002
【特許請求の範囲】
【請求項１】
機体の左右一側に脱穀部（２）、他側にモミ受部（６）を備え、該モミ受部（６）の前方に運転部（３）を備えたコンバインにおいて、前記運転部（３）に備えた旋回操作具（１１）とは別に前記モミ受部（６）の周辺に方向修正操作具（７，８）を設けたコンバイン。
【発明の詳細な説明】
【０００１】
【発明の属する技術分野】
本発明は、モミ受部を供えたコンバインに関するものである。
【０００２】
【従来の技術】
通常、コンバインは前処理部で穀稈を刈取り、脱穀部で脱粒および選別したモミをホッパに貯留し、ホッパ下部に設けたモミ受部にてモミ袋に収納している。そして、刈取・脱穀作業中にモミ袋が満杯になった場合、刈取・脱穀作業を継続しながらオペレータはモミ受部に移動し、満杯のモミ袋をホッパの吐出口から外して予備のモミ袋をセットすることにより、刈取・脱穀作業を継続する。
従来コンバインは、運転席の前方にあるマルチレバーにより機体を左右に旋回させるほか、コンバインから降りて機体の前方または後方から方向修正操作をおこなうものがあった（例えば、特許文献１参照。）。
【０００３】
【特許文献１】
実開昭６３−６８７０８号公報（第４図）
【０００４】
【発明が解決しようとする課題】
しかしながら、圃場の穀稈の条は必ずしも真っ直ぐではなく、田面も平らではないため、前記モミ袋の交換作業中にコンバインが未刈地側に外れて未刈り穀稈を踏み倒したり、既刈地側に外れて刈り残し穀稈が発生する場合があった。
また、未刈り穀稈を踏み倒さないようにするために、その都度運転席に戻っていてはモミ袋の交換に手間取り、モミ袋が溢れたり脱穀部が詰まる等の課題があった。
また、特許文献１のように、運転席に設けた方向修正用スイッチの延長コードを刈取・脱穀作業中にモミ受部まで引き出して操作するにはコードが長くなる等不都合があった。
【０００５】
【課題を解決するための手段】
上記目的を達成するため、本発明においては、機体の左右一側に脱穀部、他側にモミ受部を備え、モミ受部の前方に運転部を備えたコンバインにおいて、前記運転部に備えた旋回操作具とは別に前記モミ受部の周辺に方向修正操作具を設けたことを特徴とする。
【０００６】
【発明の実施の形態】
本発明の実施の形態について、以下図面の例に基づいて説明する。
図１は、本発明を用いたコンバインの全体斜視図である。
図において、１は穀稈を刈取り脱穀部２まで搬送する前処理部、３はコンバインの運転操作をする運転部、４はクローラ走行部、５は脱穀部で脱粒および選別された穀粒を貯留するホッパ、６はホッパ５に貯留されたモミを収納するモミ袋を載置するモミ受部、７，８はホッパ５の外側面に設けられ、押圧操作によりトランスミッション内のサイドクラッチを切断することにより機体を左右に方向修正操作する左右の方向修正スイッチ（方向修正操作具）である。９はモミ受部６の外方に折り畳み自在に設けられた補助モミ受部である。
【０００７】
図２は運転部３の拡大斜視図であり、運転シート１０の前方には、左右方向の操作により機体を旋回操作すると共に、前後方向の操作により前記前処理部１を昇降操作するマルチレバー１１（旋回操作具）を備えている。
また、前記運転シート１０の左側方には機体の走行速度を無段階に切換える主変速レバー１２と、トランスミッション内の副変速装置を変速操作する変速手段と、トランスミッション内の伝動を切換えて超信地旋回のＯＮ・ＯＦＦを切換える切換手段を兼用する副変速レバー１３とを備えている。
また、前記運転シート１０の前方でマルチレバー１１の下方には、踏み込み操作により後述するエンジンからトランスミッションへの動力を断続するメインクラッチ４０を操作するクラッチペダル１４を備えている。
【０００８】
図３は前記副変速レバー１３の要部斜視図であり、図４（ａ）は副変速装置と連結されて高・中・低速に切換操作する副変速操作プレート２１、図４（ｂ）は超信地旋回クラッチと連結されてＯＮ・ＯＦＦを操作するクラッチ操作プレート２０の拡大図である。
前記副変速レバー１３は機体側に設けたレバー支点軸２２を支点に、レバーガイド孔２３に沿って機体の前後方向に揺動可能に設けられ、副変速レバー１３の中途部にはプレート操作シャフト２４が設けられ、支点軸２７を支点に上下方向揺動自在かつ垂直に設けられた前記両操作プレート２０，２１にそれぞれ設けられたクラッチガイド孔２５と副変速ガイド孔２６の孔内に前記プレート操作シャフト２４が挿入してある。
【０００９】
よって、副変速レバー１３を機体の後方向から前方向に操作すると、副変速装置を高速から中速を経て低速に切換えるように副変速操作プレート２１をプレート支点軸２７を支点に上下方向に揺動操作して副変速装置を切換えるが、クラッチ操作プレート２０のクラッチガイド孔２５内をプレート操作シャフト２４が移動するものの、副変速レバー１３の高速から低速までの操作範囲に対応するクラッチガイド孔２５部分はレバー支点軸２２を中心に略円弧形状に形成されているので、前記クラッチ操作プレート２０は揺動しない（動かない）。
次に、副変速レバー１３を低速位置を越えて超信地旋回ＯＮ位置まで操作すると、超信地旋回クラッチをＯＦＦからＯＮに切換えるようにクラッチ操作プレート２０を支点軸２７を支点に上下方向に揺動操作して超信地旋回クラッチをＯＮに切換えるが、副変速操作プレート２１の副変速ガイド孔２６内をプレート操作シャフト２４が移動するものの、副変速レバー１３の低速から超信地旋回ＯＮ位置までの操作範囲に対応する副変速ガイド孔２６部分はレバー支点軸２２を中心に略円弧形状に形成されているので、前記副変速操作プレート２１は揺動しない（動かない）。
【００１０】
図５はメインクラッチ４０の要部側面図であり、エンジンの出力軸に設けられた駆動プーリ４１と走行ＨＳＴの入力軸に設けられた従動プーリ４２間に伝動ベルト４３が巻き掛けられており、該伝動ベルト４３に対してテンションプーリ４４がスプリング４５により適正なテンション力を与えることによりエンジンの動力がＨＳＴに伝動されている。
前記クラッチペダル１４にはメインクラッチ４０を断続操作する連結リンク４６が設けてあり、テンションプーリ４４を揺動軸４７を支点に揺動支持するテンションアーム４８と前記連結リンク４６が連結されている。
前記スプリング４５は下端側を機体に固定し、上端側をアジャスタ４９を介してテンションアーム４８に長手方向スライド自在に設けてある。
【００１１】
よって、メインクラッチ４０を切断するためにクラッチペダル１４を図５の矢印方向に踏み込み操作すると、連結リンク４６，テンションアーム４８を介してテンションプーリ４４が矢印方向に揺動されることにより伝動ベルト４３は緩み駆動プーリ４１が空転することにより、メインクラッチ４０は切断される。
この時、スプリング４５はテンションプーリ４４の揺動方向ではなく、揺動軸４７の方向にアジャスタ４９と共にスライドするので、クラッチペダル１４の操作荷重は、スプリング４５がテンションプーリ４４の揺動方向に引かれるものに対して軽い操作荷重で済む。
【００１２】
次に本発明の作用を説明する。
まずオペレータは運転部３でコンバインを操作して刈取・脱穀作業を行う。そして、ホッパ５内にモミが満杯になると刈取・脱穀作業を継続したまま補助モミ受部９を通ってモミ受部６に行き、満杯になったモミ袋をホッパ５の吐出口から外してモミ袋の口を閉じ、予備のモミ袋をセットする。
この時、オペレータは機体前方の前処理部１と穀稈の位置を見ながら作業をすることにより、モミ袋の交換作業中にコンバインが未刈地側に外れそうになった場合には、ホッパ５に設けられた右方向修正スイッチ８を操作することにより、コンバインは既刈地側に進行方向を変えることにより、未刈り穀稈を踏み倒すことがない。
また、反対にコンバインが既刈地側に外れそうになった場合には、ホッパ５に設けられた左方向修正スイッチ７を操作することにより、コンバインは未刈地側に進行方向を変えることにより、刈り残し穀稈が発生することがない。
【００１３】
本実施例においては、左右方向修正スイッチ７，８をホッパ５の側面に設けたが、モミ受部６から容易に操作できる場所（例えば、エンジンカバーの背面等）ならばどこでもよい。
【００１４】
【発明の効果】
本発明は、機体の左右一側に脱穀部、他側にモミ受け部を備え、モミ受け部の前方に運転部を備えたコンバインにおいて、前記運転部に備えた旋回操作具とは別に前記モミ受け部の周辺に方向修正操作具を設けたので、モミ袋の交換作業中にコンバインが未刈地側に外れそうになった場合には、オペレータはモミ受部周辺に設置した方向修正操作具を右方向修正操作することで、コンバインは既刈地側に進行方向を変えることにより、未刈り穀稈を踏み倒すことがない。
また、反対にコンバインが既刈地側に外れそうになった場合にも、同様に方向修正操作具を左方向修正操作することで、コンバインは未刈地側に進行方向を変えることにより、刈り残し穀稈が発生することがない。
そのうえ、モミ袋交換中にオペレータはモミ受部と運転部との間を行き来する手間も省ける。
【図面の簡単な説明】
【図１】本発明を用いたコンバインの全体斜視図である。
【図２】運転部の拡大斜視図である。
【図３】副変速レバーの要部斜視図である。
【図４】（ａ）は副変速操作プレートの拡大側面図、（ｂ）はクラッチ操作プレートの拡大図である。
【図５】メインクラッチの要部側面図である。
【符号の説明】
２　脱穀部
３　運転部
６　モミ受部
７　方向修正操作具
８　方向修正操作具
１１　旋回操作具
【図１】
2004097095.tif 000003
【図２】
2004097095.tif 000004
【図３】
2004097095.tif 000005
【図４】
2004097095.tif 000006
【図５】
2004097095.tif 000007